【手続補正書】
【提出日】平成20年7月11日(2008.7.11)
【手続補正１】
【補正対象書類名】特許請求の範囲
【補正対象項目名】全文
【補正方法】変更
【補正の内容】
【特許請求の範囲】
【請求項１】
運動器具と共に使用するための装置であって、該運動器具は、少なくとも１本の、ぶら下がった、長さ調節可能かつロック可能なロープからなり、該ロープは、その下端に、握り手段、例えば、握り輪を持っているものであり、
その特徴は、
振動手段にあり、該振動手段は、前記ロープの一部にロープ係合部材を介して取り付けられた場合に、ロープにそしてそれ故に握り手段に、振動運動を伝えるように設計されている、
前記装置。
【請求項２】
運動器具が、握り手段を備えた、２本の、ぶら下がった長さ調節可能かつロック可能なロープを持っており、
その特徴は、
振動手段が、２つのロープ係合部材を持っており、該部材の各々が、ロープの振動のために、それぞれの１本のロープに留められるように設計されていることである、請求項１に記載の装置。
【請求項３】
振動手段が、モーターの回転軸を横断する回転アームを備えた少なくとも１つの駆動手段を持っており、該アームは、その外側端部において、ロープ係合部材に連結されているリンクにピボット回転可能に留められていることを特徴とする、請求項１または２に記載の装置。
【請求項４】
振動手段が、モーターの回転軸を横断する回転アームを備えた少なくとも１つの駆動手段を持っており、該アームは、その外側端部において、回転するための釣合いが取れていない重り体に留められていること、および、
振動手段が、ロープに対する直接的な取り付けのための手段を有していること
を特徴とする、請求項１に記載の装置。
【請求項５】
振動手段が、ロープのペアのための１つの共通の駆動モーターを有しており、該駆動モーターは、該モーターの回転軸を横断する回転アームを備えており、該アームは、その外側端部において、第一のロープ係合部材に連結されたリンクの第一のセットにピボット回転可能に留められ、かつ、該アームはまた、リンクの第二のセットにおける第一のリンクの第一の端部と堅く留められ、かつ、第二のセットにおける第一のリンクがその第二の端部において、第二のロープ係合部材に連結された第二のセットにおける別のリンクにピボット回転可能に接続されていることを特徴とする、請求項２に記載の装置。
【請求項６】
振動手段が、２つの駆動モーターを有しており、それらモーターが、それぞれのリンクを介して、それぞれのロープを振動させるように配置されていることを特徴とする、請求項２または３に記載の装置。
【請求項７】
振動手段が、少なくとも１つの空気圧式アクチュエータからなり、該アクチュエータが、リンクを介して、ロープのためのロープ係合部材と、または、それぞれのロープと、結合していることを特徴とする、請求項１または２に記載の装置。
【請求項８】
前記リンクが、長さ調節可能であることを特徴とする、請求項３〜７のいずれか１項に記載の装置。
【請求項９】
アクチュエータが、ストローク長さ制御バルブ、および、ストローク速度コントローラーを持っていることを特徴とする、請求項７に記載の装置。
【請求項１０】
駆動モーターの、無段の段階の速度制御のためのコントローラーを特徴とする、請求項１〜６のいずれか１項に記載の装置。
【請求項１１】
前記駆動モーターの作動のための充電可能な蓄電池を特徴とする、請求項１〜６のいずれか１項に記載の装置。
【請求項１２】
振動手段がハウジングを持っており、該ハウジングが、前記の少なくとも１つの駆動モーター、または、前記の少なくとも１つの空気圧式アクチュエータを保持すること、および、
前記のロープ係合部材を備えた前記のリンクの少なくとも一部が該ハウジングから突き出していること、
を特徴とする、請求項１〜３および５〜１０のいずれか１項に記載の装置。
【請求項１３】
前記のバルブ、および／または、ストローク速度コントローラーが、振動手段ハウジングの内部に位置していること、を特徴とする、請求項９または１２に記載の装置。
【請求項１４】
前記のバルブ、および／または、ストローク速度コントローラーが、振動手段から距離を置いて位置していること、を特徴とする、請求項９または１２に記載の装置。
【請求項１５】
速度コントローラーが、振動手段ハウジングの内部に位置していることを特徴とする、請求項１０または１２に記載の装置。
【請求項１６】
速度コントローラーが、振動手段から距離を置いて位置していることを特徴とする、請求項１０または１２に記載の装置。
【請求項１７】
振動手段ハウジングが、係合手段に取付けるために構築されており、該係合手段が、天井から下方に伸びているか、または、天井に取付けられたスタンドからまたは床に支えられたスタンドから伸びていること、および、
ロープが、前記の天井またはスタンドに取り付けられたプーリーを通過していること、を特徴とする、請求項１２〜１６のいずれか１項に記載の装置。
【請求項１８】
振動手段ハウジングが、吊り下げ可能なロープガイド手段への開放可能なまたは固定された取り付けのための留め手段を備えるように構築されており、該ロープガイド手段が、くさびロックの形態となっている一体的なロープロック手段を持っていることを特徴とする、請求項１２〜１７のいずれか１項に記載の装置。
【請求項１９】
振動手段ハウジングが、くさびロックの形態となっているロープロック手段を有するタイプの吊り下げ可能なロープガイド手段のためのハウジングと共に、１個の部品として作られていることを特徴とする、請求項１２〜１８のいずれか１項に記載の装置。
【請求項２０】
振動手段が、２つのロープを同時に振動させるように設計されていること、および、
振動手段が、任意選択的に、ロープを同調的または非同調的に振動させるように制御可能であること、
を特徴とする、請求項１〜１９のいずれか１項に記載の装置。
【請求項２１】
人の肢部または胴体部を運動させるための装置を作動させる方法であって、
人の肢部または胴体部に係合するための輪を持った少なくとも１本のロープを、高架された支持体から吊り下げることを有し、輪は、ロープの下端部に取り付けられていて、該輪が人の肢部または胴体部に係合し得るようになっており、
高架された支持体と輪との間の、ロープの選択された部分に、振動運動を与えることを有し、該振動運動が輪に伝達し得るようになっている、
前記方法。
【請求項２２】
人の肢部または胴体部を運動させるための装置を作動させる方法であって、
人の肢部または胴体部に係合するための輪を持った少なくとも１本のロープを、高架された支持体から吊り下げることを有し、輪は、ロープの下端部に取り付けられていて、該輪が人の肢部または胴体部に係合し得るようになっており、
高架された支持体と輪との間の、ロープの選択された部分に、振動運動が与えられて、該振動運動が、輪に係合された人の肢部または胴体部に伝達し得るようになっている、
前記方法。
【請求項２３】
人の肢部または胴体部を運動させるための装置を作動させる方法であって、
前記運動させるための装置は、高架された支持体から吊り下げられた少なくとも１本のロープを有し、該ロープは輪を持っており、該輪はロープの下端部に取り付けられており、該輪は、人の肢部または胴体部に係合し得るように構成されているものであって、
当該方法が、
高架された支持体と輪との間の、ロープの選択された部分に、振動運動を与えることを有し、該振動運動が輪に伝達し得るようになっている、
前記方法。
【請求項２４】
ロープの選択された部分に対し概して直角の方向へと、該ロープの選択された部分を移動させることによって、振動運動が該ロープの選択された部分に与えられるものである、請求項２１〜２３のいずれか１項に記載の方法。
【請求項２５】
前記ロープを２本、高架された支持体から吊り下げることを有し、各ロープは人の別個の肢部または胴体部に係合し得るようになっており、かつ、
振動運動が各ロープに対し各ロープの選択された部分において与えられ、該振動運動が、各ロープおよびそれに取り付けられた輪を介して、前記別個の肢部または胴体部へと伝達される、請求項２１〜２３のいずれか１項に記載の方法。
【請求項２６】
振動運動が、各吊り下げられたロープおよびそれに取り付けられた輪に対して、同調的に与えられる、請求項２５に記載の方法。
【請求項２７】
振動運動が、各吊り下げられたロープおよびそれに取り付けられた輪に対して、非同調的に与えられる、請求項２５に記載の方法。
【請求項２８】
振動運動が、各ロープに対して、別個の振動運動装置によって与えられる、請求項２５に記載の方法。
【請求項２９】
振動運動が、各ロープに対して、単一の共通の振動運動装置によって与えられる、請求項２５に記載の方法。
【請求項３０】
該ロープの長さが、輪が人の肢部または胴体部に係合している間に、調節可能である、請求項２１〜２３のいずれか１項に記載の方法。
【請求項３１】
振動運動が、少なくとも１本のロープに対して、単一の振動運動装置によって与えられる、請求項２１〜２３のいずれか１項に記載の方法。
【請求項３２】
振動運動が、
（ａ）振動の周波数、
（ｂ）振動のストローク振幅、
（ｃ）振動の周波数および振動のストローク振幅、
のうちのいずれか１つに関して、調節可能である、請求項２１〜２３のいずれか１項に記載の方法。